(57)【要約】【課題】  水着と共に着用でき、水着によるバストラインの型崩れを防止でき、体のプロポーションが美しく保たれる水着用ブラジャーを提供する。【解決手段】  一対のカップ部１１，１１を構成し、この一対のカップ部１１，１１の内側下部を連結手段１６で着脱自在に連結する。カップ部１１，１１の外側下部は、伸縮手段１５を介して透明ビニール製の背部ストラップ１４で連結すると共に、それぞれのカップ部１１，１１の上部に透明ビニール製の首部ストラップ１２，１２を取り付けてなる。【選択図】図１
0003117130.tif 000002
【実用新案登録請求の範囲】
【請求項１】
左右の乳房に装着する一対のカップ部を構成し、このカップ部のそれぞれの一端を連結手段で着脱自在に連結し、他端を背部ストラップで連結すると共に、それぞれのカップ部の上部に首部ストラップを取り付けてなり、
上記首部ストラップと背部ストラップの、全部又は一部を透明材質又は半透明材質で構成した水着用ブラジャー。
【請求項２】
上記背部ストラップを、伸縮手段を介して一対のカップ部に取り付けたことを特徴とする請求項１記載の水着用ブラジャー。
【請求項３】
左右の乳房に装着する一対のカップ部を構成し、このカップ部のそれぞれの一端を連結し、他端を連結手段を有する背部ストラップで着脱自在に連結すると共に、それぞれのカップ部の上部と上記背部ストラップに肩部ストラップを掛け渡してなり、
上記肩部ストラップと背部ストラップの、全部又は一部を透明材質又は半透明材質で構成した水着用ブラジャー。
【請求項４】
上記背部ストラップを、伸縮手段を介して一対のカップ部に取り付けると共に、上記肩部ストラップに長さ調節手段を設けたことを特徴とする請求項３記載の水着用ブラジャー。
【考案の詳細な説明】
【技術分野】
【０００１】
本考案は、水着を着用したときに装着する水着用ブラジャーに関するものである。
【背景技術】
【０００２】
女性の水着着用時には身体のプロポーションが明確に表れるため、プロポーションが美しく表現できるような水着が望まれている。そのため女性用水着には、最も目立つバストラインを美しく見せるため乳房部分にバストカップが取り付けられている。
【０００３】
そして、上記の目的のために、特許文献１に示すような美しいスタイルを表現できるワンピース型の水着が提案されていた。この水着はバストカップを布帛で構成し、左右のバストカップと連接して身体の略水平方向に正面から背面に渡って胸部回りにカップ固定用伸縮性布帛が設けられた水着である。
【特許文献１】特開２００１−１７２８０６
【０００４】
上記特許文献１記載の水着は、布帛で構成したバストカップをカップ固定用伸縮性布帛によって背側から支えられるから、バストカップは乳房位置に固定され激しく動いてもズレや浮きを生じ難く、したがって型崩れすることが少なかった。
【０００５】
しかしながら、上記の水着は身体の略水平方向に正面から背面に渡って胸部回りにカップ固定用伸縮性布帛を取り付けなくてはならず、水着製作の手間とコストが大きなものとなった。また、伸縮性布帛によって背中から、両脇、胸に渡って常に締め付けられた状態となるため、不自然かつ不快な感じであると共に長時間の着用は困難であるという問題点を有していた。
【考案の開示】
【考案が解決しようとする課題】
【０００６】
本考案は上記の点に鑑みなされたものであり、水着と共に着用することにより、水着によるバストラインの型崩れを防止できる上に、外見上ブラジャーを着用していることが分からず、違和感がなく自然な状態で着用でき身体のプロポーションが美しく保たれる水着用ブラジャーを提供するものである。
【課題を解決するための手段】
【０００７】
本考案の要旨とするところは、左右の乳房に装着する一対のカップ部を構成し、このカップ部のそれぞれの一端を連結手段で着脱自在に連結し、他端を背部ストラップで連結すると共に、それぞれのカップ部の上部に首部ストラップを取り付けてなり、上記首部ストラップと背部ストラップの、全部又は一部を透明材質又は半透明材質で構成したことにある。
【０００８】
また、本考案の要旨とするところは、上記背部ストラップを、伸縮手段を介して一対のカップ部に取り付けたことにある。
【０００９】
また、本考案の要旨とするところは、左右の乳房に装着する一対のカップ部を構成し、このカップ部のそれぞれの一端を連結し、他端を連結手段を有する背部ストラップで着脱自在に連結すると共に、それぞれのカップ部の上部と上記背部ストラップに肩部ストラップを掛け渡してなり、上記肩部ストラップと背部ストラップの、全部又は一部を透明材質又は半透明材質で構成したことにある。
【００１０】
また、本考案の要旨とするところは、上記背部ストラップを、伸縮手段を介して一対のカップ部に取り付けると共に、上記肩部ストラップに長さ調節手段を設けたことにある。
【考案の効果】
【００１１】
請求項１の考案は、一対のカップ部の夫々の一端を連結手段で着脱自在に連結し、他端を背部ストラップで連結すると共に、それぞれのカップ部の上部に首部ストラップを取り付けてなり、上記首部ストラップと背部ストラップの、全部又は一部を透明材質又は半透明材質で構成してあるため、水着用ブラジャーの着脱に際しては、カップ部の連結手段を操作してカップ部を身体の前方から容易に着脱することができ、かつ首部ストラップを結んで首に掛けることによって、安定した状態でカップ部を保持できる。
さらに、水着と共に着用することによって、他人からは外見上ブラジャーを着用していることが分からない上に、着用に際し違和感がなく自然な状態を保てると共に、水着によるバストラインの型崩れを防止でき、身体のプロポーションが美しく保たれる等の効果を奏する。
【００１２】
請求項２の考案は、上記背部ストラップを伸縮手段を介して一対のカップ部に取り付けたものである。この伸縮手段は、身体の動きに対して伸びたり縮んだりして背部ストラップの長さ調節の役割を果たすから、カップ部は常に最適な状態で無理なく身体に密着するのである。
【００１３】
請求項３の考案は、一対のカップ部のそれぞれの一端を固定して連結し、他端を連結手段を有する背部ストラップで着脱自在に連結すると共に、それぞれのカップ部の上部と上記背部ストラップに肩部ストラップを掛け渡してなり、上記肩部ストラップと背部ストラップの、全部又は一部を透明材質又は半透明材質で構成してあるため、水着用ブラジャーの着脱に際しては、背部ストラップの連結手段を操作して身体の後方から着脱することができ、かつ２本の肩部ストラップによってカップ部と背部ストラップを安定した状態で保持できる。
さらに、水着と共に着用することによって、他人からは外見上ブラジャーを着用していることが分からず、着用に際し違和感がなく自然な状態を保てると共に、水着によるバストラインの型崩れを防止でき、身体のプロポーションが美しく保たれる等の効果を奏する。
【００１４】
請求項４の考案は、上記背部ストラップを、伸縮手段を介して一対のカップ部に取り付けると共に、上記肩部ストラップに長さ調節手段を設けたものである。
上記伸縮手段は、身体の動きに対して伸びたり縮んだりして背部ストラップの長さ調節の役割を果たすから、カップ部は常に最適な状態で無理なく身体に密着するのである。
また上記肩部ストラップの長さ調節手段は、カップ部の上下位置を調整できるため、身体にフィットする水着ブラジャーを提供できる。
【考案を実施するための最良の形態】
【００１５】
本考案を実施するための最良の形態は、左右の乳房に装着する一対のカップ部を構成し、この一対のカップ部のそれぞれの内側下部を連結手段で着脱自在に連結し、外側下部を透明材質からなる背部ストラップで連結し、カップ部と背部ストラップの間に伸縮手段を設けると共に、それぞれのカップ部の上部に透明材質からなる首部ストラップを取り付けてなるものである。
【００１６】
以下、本考案の第１実施形態を図に基づいて説明する。
図１は第１実施形態の正面斜視図である。
【００１７】
本実施形態は、左右の乳房に装着するための一対のカップ部１１，１１を構成し、この一対のカップ部１１，１１を乳房に装着した状態で、対向する内側下部を連結手段１６で着脱自在に連結する。
上記カップ部１１は通常のブラジャーのカップ部を使用できる。また、連結手段１６は、着脱が確実、容易に行なえる公知の連結手段である。
【００１８】
上記連結した一対のカップ部１１，１１の外側下部に、伸縮手段である帯状のゴム１５、１５を取り付ける。そしてこのゴム１５，１５の一端に透明ビニール製の背部ストラップ１４の端部を固定する。上記伸縮手段は、ゴム１５に限らず他の弾性材質を使用しても良い。
また背部ストラップ１４は、透明ビニールに限らず耐水性を有する透明な材質であれば、他の材質を使用できる。また背部ストラップ１４が外見上目立たず、ファッション的に問題なければ、透明に限らず半透明材質も使用することもできる。
さらには、着用時に背部ストラップ１４が水着の下に隠れてしまうような形状の水着であれば、その隠れる部分の背部ストラップ１４は、人目に触れないため、透明又は半透明材質で作成しても良いが、不透明材質で作成しても良い。
【００１９】
上記カップ部１１，１１の上部には、ビニール製の首部ストラップ１２，１２を取り付ける。この首部ストラップ１２，１２は互いに結んで、首に掛けることにより、カップ部１１，１１を安定して保持するものである。
この首部ストラップ１２，１２の材質も、上記背部ストラップ１４と同様である。すなわち透明ビニールに限らず耐水性を有する透明な材質であればよく、透明に限らず半透明材質も使用できる。また、着用時に首部ストラップ１２，１２が水着に隠れてしまうような形状の水着であれば、その隠れる部分は、透明又は半透明材質を用いなくても良い。
【００２０】
次に、本実施形態の作用について説明する。
まず、水着ブラジャー１を着用する。この着用時には背部ストラップ１４を背中に回して前方でカップ部１１，１１を身体にあわせ、連結手段１６を留めてカップ部１１，１１を固定する。その後、首部ストラップ１２，１２を首に掛けて長さを調節しながら締結すればよい。その後、この水着ブラジャー１を着用したまま、水着を着用するのである。
【００２１】
この場合、首部ストラップ１２，１２と背部ストラップ１４は、透明ビニール製のため殆ど見えず、水着の下にブラジャーを着用していくことが他人には分からない。
また、通常の水着の場合はパットだけなので、乳房が上がらず寄らないという問題点があったが、本実施形態の水着ブラジャー１の機能として、バストアップ機能とバスト寄せ機能があるため、乳房が持ち上がり、かつ寄せられるため、バストラインがきれいに見える。
さらには、乳房が小さい人の場合も、豊かな乳房で整った形状に見えるのである。
【００２２】
本考案の第２実施形態を図に基づいて説明する。本実施形態において上記第１実施形態と同様な構成部分は説明が重複するため省略する。
図２は第２実施形態の正面斜視図である。
【００２３】
本実施形態は、左右の乳房に装着するための一対のカップ部１１，１１を構成し、この一対のカップ部１１，１１を乳房に装着した状態で、対向する内側下部を固定して連結する。
【００２４】
上記連結した一対のカップ部１１，１１の外側下部に、伸縮手段である帯状のゴム１５，１５の端部を取り付ける。そしてこのゴム１５，１５の一端に透明ビニール製の背部ストラップ１４を固定する。
この背部ストラップ１４は中央部分に連結手段２６で着脱自在に連結してある。この連結手段２６も透明又は半透明の材質からなり、着脱が確実、容易に行なえる公知の連結手段である。
【００２５】
上記カップ部１１，１１の上部には、ビニール製の肩部ストラップ２２，２２を取り付ける。この肩部ストラップ２２，２２の他端は、上記背部ストラップ１４に固定されていて、首に掛けることによりカップ部１１，１１を安定して保持するものである。また、この肩部ストラップ２２，２２の中央部分には、肩部ストラップの長さ調節具２３，２３を取り付けてある。
この肩部ストラップ２２，２２の材質も、上記背部ストラップ１４と同様に、透明ビニールに限らず耐水性を有する透明な材質であればよい。また、外見上目立たず、ファッション的に問題なければ、透明に限らず半透明材質も使用できるのである。
さらには、着用時に肩部ストラップ２２，２２が水着に隠れてしまうような形状の水着であれば、その隠れる部分は透明又は半透明材質で作成しなくても良いのである。
【００２６】
次に、本実施形態の作用について説明する。
まず、水着ブラジャー２を着用する。この着用時には身体の前方よりカップ部１１，１１を身体にあわせ、背部ストラップ１４の連結手段２６を留めてカップ部１１，１１を固定する。その後、肩部ストラップ２２，２２を両肩に掛けて、長さ調節具２３，２３で長さを調節すればよい。その後、この水着ブラジャー２を着用したまま、水着を着用するのである。
【００２７】
この場合、肩部ストラップ２２，２２と背部ストラップ１４は、透明ビニール製であるから殆ど見えず、ブラジャーを着用していくことが他人には分からない。その他、本実施形態の水着用ブラジャーも上記の第１実施形態と同様な効果を奏するのである。
【図面の簡単な説明】
【００２８】
【図１】本考案の第１実施形態の正面斜視図
【図２】本考案の第２実施形態の正面斜視図
【符号の説明】
【００２９】
１  水着用ブラジャー  
２  水着用ブラジャー  
１１  カップ部
１２  首部ストラップ
１４  背部ストラップ
１５  伸縮手段
１６  連結手段
２２  肩部ストラップ
２３  長さ調節具
２６  連結手段
【図１】
0003117130.tif 000003
【図２】
0003117130.tif 000004